(57)【要約】【課題】利用者にとっての利便性を向上させることができる。【解決手段】本実施形態の券売機は、表示部と、入力部と、発券部と、表示制御部とを持つ。入力部は、利用者の入力操作を受け付ける。発券部は、前記入力部に対する入力操作に基づいて乗車券を発券する。表示制御部は、前記表示部に、自駅から利用できる駅を表示する画面に遷移するための遷移ボタンを金額に対応付けて表示させ、前記入力部を用いて前記遷移ボタンが操作された場合、前記操作された遷移ボタンに対応付けられた金額で利用することのできる一または複数の駅を示すアイコンを表示させる。【選択図】図２
2018185723.tif 000002
【特許請求の範囲】
【請求項１】
表示部と、
利用者の入力操作を受け付ける入力部と、
前記入力部に対する入力操作に基づいて乗車券を発券する発券部と、
前記表示部に、自駅から利用できる駅を表示する画面に遷移するための遷移ボタンを金額に対応付けて表示させ、前記入力部を用いて前記遷移ボタンが操作された場合、前記操作された遷移ボタンに対応付けられた金額で利用することのできる一または複数の駅を示すアイコンを表示させる表示制御部と、
を備える券売機。
【請求項２】
前記利用者に投入された金銭を計算する金銭計算部を更に備え、
前記発券部は、前記表示部に前記一または複数の駅を示すアイコンが表示された状態で、前記金銭計算部の処理結果に基づいて前記遷移ボタンに対応付けられた金額が投入されたと判定した場合、前記遷移ボタンに対応付けられた金額に対応する乗車券を発券する、
請求項１に記載の券売機。
【請求項３】
前記利用者に投入された金銭を計算する金銭計算部を更に備え、
前記発券部は、前記表示部に前記一または複数の駅を示すアイコンが表示された状態で、前記金銭計算部の処理結果に基づいて前記遷移ボタンに対応付けられた金額が投入されたと判定し、且つ、購入意思を表す操作がなされた場合、前記遷移ボタンに対応付けられた金額に対応する乗車券を発券する、
請求項１に記載の券売機。
【請求項４】
前記利用者に投入された金銭を計算する金銭計算部を更に備え、
前記表示制御部は、前記表示部に自駅から利用できる駅を表示する画面に遷移するための遷移ボタンを、金額を示す金額ボタンに対応付けて表示させ、前記金銭計算部の処理結果に基づいて金銭が投入されていないと判定した状態において、前記入力部を用いて前記金額ボタンが操作された場合、前記操作された金額ボタンに対応付けられた金額で利用することのできる一または複数の駅を示すアイコンを表示させる、
請求項１から３のうちいずれか１項に記載の券売機。
【請求項５】
前記表示制御部は、前記操作された遷移ボタンに対応付けられた金額で利用することのできる一または複数の駅を示すアイコンと共に、前記操作された遷移ボタンに対応付けられた金額とは異なる金額で利用することができる一または複数の駅を示すアイコンを表示する画面に遷移するための金額変更ボタンを表示させる、
請求項１から４のうちいずれか１項に記載の券売機。
【請求項６】
前記表示制御部は、前記入力部を用いて前記金額変更ボタンが操作された場合、前記表示部に、前記操作された遷移ボタンに対応付けられた金額とは異なる金額で利用することができる一または複数の駅を示すアイコンを表示させる、
請求項５に記載の券売機。
【請求項７】
コンピュータに、
表示部に、自駅から利用できる駅を表示する画面に遷移するための遷移ボタンを金額に対応付けて表示させ、
利用者の入力操作を受け付ける入力部を用いて前記遷移ボタンが操作された場合、前記操作された遷移ボタンに対応付けられた金額で利用することのできる一または複数の駅を示すアイコンを表示させる、
プログラム。
【発明の詳細な説明】
【技術分野】
【０００１】
本発明の実施形態は、券売機、およびプログラムに関する。
【背景技術】
【０００２】
駅に設置されている券売機において利用者が乗車券を購入する場合、券売機の上方等に掲示されている運賃表で運賃を調べ、券売機の画面に表示された金額ボタンを操作して乗車券を購入することがある。しかしながら、運賃表が小さかったり、表示形態が事業者ごとに異なっていたりするため、利用者にとって利便性が十分でないと感じる場合があった。
【先行技術文献】
【特許文献】
【０００３】
【特許文献１】特開平１１−３１２４２号公報
【発明の概要】
【発明が解決しようとする課題】
【０００４】
本発明が解決しようとする課題は、利用者にとっての利便性を向上させることができる券売機、プログラムを提供することである。
【課題を解決するための手段】
【０００５】
本実施形態の券売機は、表示部と、入力部と、発券部と、表示制御部とを持つ。入力部は、利用者の入力操作を受け付ける。発券部は、前記入力部に対する入力操作に基づいて乗車券を発券する。表示制御部は、前記表示部に、自駅から利用できる駅を表示する画面に遷移するための遷移ボタンを金額に対応付けて表示させ、前記入力部を用いて前記遷移ボタンが操作された場合、前記操作れた遷移ボタンに対応付けられた金額で利用することのできる一または複数の駅を示すアイコンを表示させる。
【図面の簡単な説明】
【０００６】
【図１】券売機１を示す斜視図。
【図２】券売機１の機能構成を示す図。
【図３】券売機１により実行される処理の流れを示すフローチャート。
【図４】表示部１４に表示される初期画像ＩＭ１の一例を示す図。
【図５】金銭が投入されずに金額ボタンまたは行先ボタンが操作された場合に表示部１４に表示される画像ＩＭ２の一例を示す図。
【図６】画像ＩＭ３の一例を示す図。
【図７】画像ＩＭ４の一例を示す図。
【図８】画像ＩＭ５の一例を示す図。
【発明を実施するための形態】
【０００７】
以下、実施形態の券売機を、図面を参照して説明する。券売機は、例えば駅の改札機付近に設けられる。利用者は、券売機を操作して、鉄道の利用区間に応じた乗車券を購入する。なお、以下に説明する実施形態の券売機は、鉄道の駅に設けられるものとして説明するが、バスターミナルやフェリーターミナル等に設けられ、利用者がバスやフェールに乗車するための乗車券を購入するために用いられてもよい。
【０００８】
図１は、券売機１を示す斜視図である。券売機１は、例えば、筐体２を備える。また、筐体２の前面部Ｆには、タッチパネル部１０と、紙幣挿入排出部２０と、小銭投入口２２と、小銭排出口２４と、媒体挿入排出口２６と、乗車券排出口２８が設けられる。
【０００９】
図２は、券売機１の機能構成を示す図である。券売機１は、図１で示した機能構成以外に、検銭部３０と、リーダライタ３２と、媒体処理部３４と、乗車券発行部３６と、制御部４０と、通信部４６と、記憶部５０とを備える。制御部４０は、例えば、ＣＰＵ（Central Processing Unit）等のプロセッサが記憶部５０に記憶されたプログラムを実行することにより実現される。また、制御部４０は、ＬＳＩ（Large Scale Integration）、ＡＳＩＣ（Application Specific Integrated Circuit）、ＦＰＧＡ（Field-Programmable Gate Array）等のハードウェアによって実現され、制御部４０の機能を実現するための回路構成を有してもよいし、ソフトウェアとハードウェアの協働によって実現されてもよい。
【００１０】
記憶部５０は、例えば、ＲＯＭ（Read Only Memory）、フラッシュメモリ、ＨＤＤ（Hard Disk Drive）、ＳＤカード等の不揮発性の記憶媒体と、ＲＡＭ（Random Access Memory）、レジスタ等の揮発性の記憶媒体とによって実現される。記憶部５０は、プロセッサが実行するプログラムを格納する他、各駅間の運賃が記憶された運賃テーブル５２を格納する。
【００１１】
タッチパネル部１０は、入力部１２と、表示部１４とが一体として形成された、いわゆるタッチパネルである。入力部１２は、表示部１４に重畳して設けられた検知面に対してタッチ操作（以下、操作）がされた場合に、そのタッチ位置を検出し、検出したタッチ位置を示す制御部４０に出力する。なお、入力部１２は、例えばボタン、キーボード、マウス、マイク等を含んでもよい。
【００１２】
表示部１４は、例えばＬＣＤ（Liquid Crystal Display）や、有機ＥＬ（Electroluminescence）表示装置等である。表示部１４は、制御部４０の制御に基づいて、情報を表示する。
【００１３】
検銭部（金銭計算部）３０は、紙幣挿入排出口２０に挿入また小銭投入口２２に投入された金銭（以下、投入口に投入された金銭）を計数し、計数結果を制御部４０に出力する。検銭部３０は、制御部４０の処理結果に基づいて、おつりを紙幣挿入排出口２０または小銭排出口２４から排出させる。
【００１４】
リーダライタ３２は、通信部とアンテナとを有する。リーダライタ３２は、媒体処理部３４の制御に基づいて、媒体挿入排出口２６に投入された媒体と、リーダライタ３２の通信部とが、アンテナを介して通信することにより、媒体の記憶部に記憶された情報を読み取る。また、リーダライタ３２は、媒体処理部３４の制御に基づいて、媒体挿入排出口２６に挿入された媒体と通信することにより、媒体の記憶部に情報を書き込む。媒体とは、例えば、パッシブタイプのＩＣ（Integrated Circuit）チップ、および無線通信部を含むＩＣカードである。
【００１５】
媒体処理部３４は、リーダライタ３２を制御し、リーダライタ３２により読取られた情報をデコードし、電子情報を取得する。そして、媒体処理部３４は、取得した情報を制御部４０に出力する。媒体処理部３４は、制御部４０の制御に基づいて、リーダライタ３２を介して、媒体挿入排出口２６に挿入された媒体Ｍに対して情報をエンコードして書き込む。
【００１６】
乗車券発行部３６は、制御部４０の制御に基づいて、不図示の格納部に格納された磁気券の磁気ストライプに情報を記憶させ、乗車券排出口２８から磁気券である乗車券を排出させる。
【００１７】
制御部４０は、例えば、表示制御部４２と、発行制御部４４とを備える。乗車券発行部３６と、発行制御部４４とを合わせたものは、「発券部」の一例である。
【００１８】
表示制御部４２は、表示部１４の表示内容を決定する。表示制御部４２は、表示部１４に、自駅から利用できる駅を表示する画面に遷移するための遷移ボタン（行先ボタン）を金額に対応付けて表示させ、入力部１２を用いて遷移ボタンが操作された場合、操作された遷移ボタンに対応付けられた金額で利用することのできる一または複数の駅を示すアイコンを表示させる。詳しくは、後述する。
【００１９】
発行制御部４４は、利用者により投入口に投入された金銭が、券売機１が設置された駅（入場駅）から利用者によって操作された出場駅までの料金（利用区間の運賃）を満たすか否かを判定する。発行制御部４４は、投入された金銭が料金を満たす場合、乗車券発行部３６に乗車券を発行させる。
【００２０】
また、発行制御部４４は、媒体が媒体挿入排出口２６に挿入され、利用者が媒体に電子マネーをチャージするための入力操作を行った場合、紙幣挿入排出口２０または小銭投入口２２にチャージ金額の投入を促す画像を表示部１４に表示させる。発行制御部４４は、利用者により投入口に金銭が投入された場合、投入された金銭に相当する金額を媒体の記憶部に記憶させる。
【００２１】
通信部４６は、他装置と通信する。通信部４６は省略されてもよい。
【００２２】
図３は、券売機１により実行される処理の流れを示すフローチャートである。まず、表示制御部４２が、初期画面として、表示部１４に金額ボタンと行先ボタン（遷移ボタン）とを対応付けて表示させる（ステップＳ１００）。図４は、表示部１４に表示される初期画像ＩＭ１の一例を示す図である。表示部１４には、複数の金額ボタンＢ１に対して、それぞれ行先ボタンＢ２が対応付けられている。また、複数の金額ボタンＢ１には、例えば、それぞれ異なる金額が対応付けられている。図示する例では、例えば１４０円が対応付けられた金額ボタンＢ１に対して、行先ボタンＢ２が対応付けられている。また、画像ＩＭ１には、画像ＩＭ１に表示されている言語を、他の言語で表示させた画像に遷移するための言語変更ボタンＢ３が含まれる。
【００２３】
次に、表示制御部４２は、投入口に金銭が投入されたか否かを判定する（ステップＳ１０２）。金銭が投入された場合、表示制御部４２は、行先ボタンが操作されたか否かを判定する（ステップＳ１０４）。
【００２４】
行先ボタンが操作された場合、後述するステップＳ１１４の処理に進む。行先ボタンが操作されていない場合、表示制御部４２は、ステップＳ１０２で投入された金銭の範囲内の金額の金額ボタンが操作されたか否かを判定する（ステップＳ１０６）。ステップＳ１０２で投入された金銭の範囲を超える金額の金額ボタンが操作された場合、ステップＳ１０４の処理に戻る。ステップＳ１０２で投入された金銭の範囲内の金額の金額ボタンが操作された場合、発行制御部４４は、乗車券発行部３６に乗車券を発券させる（ステップＳ１０８）。
【００２５】
金銭が投入されていない場合、表示制御部４２は、行先ボタンが操作されたか否かを判定する（ステップＳ１１０）。行先ボタンが操作された場合、ステップＳ１１４の処理に進む。行先ボタンが操作されていない場合、表示制御部４２は、金額ボタンが操作されたか否かを判定する（ステップＳ１１２）。金額ボタンが操作されていない場合、本フローチャートの１ルーチンの処理は終了する。
【００２６】
金額ボタンが操作された場合、表示制御部４２は、操作されたボタンに基づいて、利用できる駅を表示部１４に表示させる（ステップＳ１１４）。利用できる駅とは、例えば、金額ボタンに対応付けられた金額、または行先ボタンに対応し且つ金額ボタンに対応付けられた金額で出場できる駅である。
【００２７】
図５は、金銭が投入されずに金額ボタンまたは行先ボタンが操作された場合に表示部１４に表示される画像ＩＭ２の一例を示す図である。画像ＩＭ２には、例えば操作された金額ボタンに対応する金額、または操作された行先ボタンに対応する金額が表示される金額表示領域Ａ１と、金額表示領域Ａ１に表示された金額で利用することができる駅を示す利用可能駅表示領域Ａ２とを含む。利用可能駅表示領域Ａ２に含まれる駅を示す情報は、「一または複数の駅を示すアイコン」の一例である。図示する例では、自駅から１４０円で利用することができる駅は、「Ａ駅〜Ｆ駅」であることを示している。また、画像ＩＭ２に含まれる戻るボタンＢ４が操作されると、画像ＩＭ２は、画像ＩＭ１に遷移する。これにより、利用者は、所望の利用駅が画像ＩＭ２に表示されない場合、再度、金額を選択し直すことができる。
【００２８】
また、画像ＩＭ２には、金額表示領域Ａ１に表示された金額が投入口に投入されると表示された金額の乗車券を発券することを示す情報が表示される。利用者は、乗車券が発券される前、または投入口に金銭を投入する前に、利用することができる駅までの金額を確認し、金銭を投入口に投入して乗車券を発券させることができる。なお、ステップＳ１０２で投入口に金銭が投入された後に、行先ボタンが操作された場合においても、図５の画像ＩＭ２が表示される。
【００２９】
図３の説明に戻る。表示制御部４２は、検銭部３０の処理結果に基づいて、十分な金額が投入されたか否かを判定する（ステップＳ１１６）。十分な金額とは、操作された行先ボタン、または金額ボタンに対応する金額である。十分な金銭が投入された場合、図６に示す画像ＩＭ３が表示され、ステップＳ１０８の処理に進み、さらなる操作を必要とせず操作されたボタンに対応する金額の切符が発券される。画像ＩＭ３に示すように、金額表示領域Ａ１に表示された金額を超える金銭が投入口に投入された場合、投入金額を表示する投入金額領域Ａ３には、投入された金額が表示される。また、購入金額（金額表示表域Ａ１に表示された金額）と投入金額との差額がおつり表示領域Ａ４に表示される。そして、乗車券排出口２８から乗車券が排出されると共に、おつりが排出される。
【００３０】
十分な金銭が投入されなかった場合、表示制御部４２は、戻るボタンが操作されたか否かを判定する（ステップＳ１１８）。戻るボタンが操作された場合、ステップＳ１００の処理に戻る。戻るボタンが操作されなかった場合、表示制御部４２は、所定時間が経過するまで待機し（ステップＳ１２０）、所定時間が経過しない場合、ステップＳ１１６の処理に戻り、所定時間が経過した場合、ステップＳ１００の処理に戻る。これにより本フローチャートの１ルーチンの処理は終了する。
【００３１】
上述したように、行先ボタンが操作された場合、または金銭が投入されていない状態において金額ボタンが操作された場合、操作された行先ボタンまたは金額ボタンに対応する金額で利用することができる駅が表示部１４に表示されることにより、画面上で運賃を確認して、運賃に応じた乗車券を購入することができる。この結果、利用者にとっての利便性が向上する。
【００３２】
例えば、比較例として、所定の金額で利用することができる駅が表示部に表示されない券売機を想定する。比較例の券売機で、利用者が乗車券を購入する場合、まず、運賃表で運賃を調べた後に券売機で乗車券を購入する。運賃表は、券売機の上方等に設けられていたり、事業者ごとに表示形態が異なっていたりするため、利用者にとって運賃を確認することが困難である場合がある。更に、上記の事情から利用者が運賃を調べるのに時間を要したり、利用者が運賃を係員に問い合わせたりすることにより、券売機の周辺が混雑したり、係員はその対応に追われたりすることがある。
【００３３】
これに対して、本実施形態の券売機１は、所定の金額で利用することができる駅が表示部１４に表示されるため、利用者は運賃表で運賃を調べずに乗車券を購入することができる。この結果、利用者は利用する駅までの乗車券を容易に購入することができる。また、券売機の周辺が混雑や、係員に対する問い合わせの頻度が緩和されるため、事業者にとっても利便性が向上する。
【００３４】
また、利用できる駅を表示部１４に表示させる処理（ステップＳ１１４）において表示される画像ＩＭ４には、購入ボタンＢ５が表示されてもよい。図７は、画像ＩＭ４の一例を示す図である。この場合、表示制御部４２は、金額表示領域Ａ１に表示された金額が投入され、且つ、購入意思を表す操作がなされた場合、金額表示領域Ａ１に表示された金額に対応する乗車券を発行制御部４４に発行させるように指示する。「購入意思を示す操作」とは、例えば購入ボタンＢ５が選択されたことである。
【００３５】
なお、表示制御部４２は、購入意思を表す操作がなされた後に、金額表示領域Ａ１に表示された金額が投入された場合に、金額表示領域Ａ１に表示された金額に対応する乗車券を発行制御部４４に発行させるように指示してもよい。
【００３６】
また、利用できる駅を表示部１４に表示させる処理（ステップＳ１１４）において表示される画像ＩＭ５には、金額変更ボタンＢ６およびＢ７が含まれてもよい。図８は、画像ＩＭ５の一例を示す図である。画像ＩＭ５の左側には金額変更ボタンＢ６が表示され、右側には金額変更ボタンＢ７が表示される。例えば、金額変更ボタンＢ６が操作されると、画像ＩＭ５は、金額表示領域Ａ１において表示されている金額に対して、所定金額低い金額に対応する画像が表示される。所定金額低い金額に対応する画像とは、例えば金額表示領域Ａ１に２００円が表示されている場合、１７０円で利用可能な駅を表示する画像である。また、同様に、金額変更ボタンＢ７が操作されると、画像ＩＭ５は、所定金額高い金額に対応する画像が表示される。所定金額高い金額に対応する画像とは、例えば金額表示領域Ａ１に２００円が表示されている場合、２３０円で利用可能な駅を表示する画像である。
【００３７】
このように、画像に金額変更ボタンが表示され、利用者が金額変更ボタンを操作すると、所定金額高いまたは低い金額で利用することができる駅を示す画像が表示部１４に表示されるため、利用者にとっての利便性がより向上する。
【００３８】
なお、金額変更ボタンに対する操作に代えて（加えて）、利用者が画面をフリック操作すると、所定金額高いまたは低い金額に対応する画像が表示されてもよい。
【００３９】
また、１つの行先ボタンに対して、複数の金額ボタンが対応付けられてもよい。例えば、所定の金額で利用できる駅の数が少ない場合、行先ボタンが操作されると、複数の金額に対応する利用可能な駅が表示部１４に表示されてもよい。この場合、利用可能な駅ごとに金額が対応付けられた情報を含む画像が表示部１４に表示される。
【００４０】
また、上述した例では、行先ボタンが操作された場合、または金銭が投入されていない状態において金額ボタンが操作された場合、金額表示領域Ａ１に表示された金額で利用することができる駅を示すものとして説明したが、これに代えて、操作されたボタンに対応する金額と、金額に対応する駅と、金額よりも所定金額高いまたは低い金額と、その金額で利用することができる駅とが表示部１４に表示されてもよい。例えば、２００円に対応するボタンが操作された場合、２００円、１７０円、２３０円で利用することができる駅が、それぞれ金額に対応付けられた情報を含む画像が表示部１４に表示される。
【００４１】
以上説明した少なくともひとつの実施形態によれば、表示部と、利用者の入力操作を受け付ける入力部と、入力部に対する入力操作に基づいて乗車券を発券する発券部と、表示部に、自駅から利用できる駅を表示する画面に遷移するための遷移ボタンを金額に対応付けて表示させ、入力部を用いて前記遷移ボタンが操作された場合、操作された遷移ボタンに対応付けられた金額で利用することのできる一または複数の駅を示すアイコンを表示させる表示制御部とを持つことにより、利用者にとっての利便性を向上させることができる。
【００４２】
上記説明した実施形態は、以下のように表現することができる。
表示部と、
利用者の入力操作を受け付ける入力部と、
前記入力部に対する入力操作に基づいて乗車券を発券する発券部と、
情報を記憶する記憶部と、
前記記憶部に記憶されたプログラムを実行するハードウェアプロセッサと、を備え、
前記記憶部には、前記ハードウェアプロセッサに、
前記表示部に、自駅から利用できる駅を表示する画面に遷移するための遷移ボタンを金額に対応付けて表示させ、
前記入力部を用いて前記遷移ボタンが操作された場合、前記操作された遷移ボタンに対応付けられた金額で利用することのできる一または複数の駅を示すアイコンを表示させる処理を実行させる前記プログラムが格納されている、
券売機。
【００４３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４４】
１…券売機、１２…入力部、１４…表示部、２８…乗車券排出口、３０…検銭部、３６…乗車券発行部、４２…表示制御部、４４…発行制御部
【図１】
2018185723.tif 000003
【図２】
2018185723.tif 000004
【図３】
2018185723.tif 000005
【図４】
2018185723.tif 000006
【図５】
2018185723.tif 000007
【図６】
2018185723.tif 000008
【図７】
2018185723.tif 000009
【図８】
2018185723.tif 000010